【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
第１のドキュメントに付加された識別情報に基づいて、レイアウトデータと、前記レイアウトデータに応じてレイアウトするデータを取得するためのデータ取得情報とを取得する第１の取得手段と、
前記第１の取得手段により取得されたデータ取得情報に基づいてデータを取得する第２の取得手段と、
前記第２の取得手段により取得されたデータを、前記第１の取得手段により取得されたレイアウトデータに応じてレイアウトした第２のドキュメントを生成する生成手段とを有することを特徴とするドキュメント生成装置。
【請求項２】
前記生成手段は、識別情報が付加された第２のドキュメントを生成することを特徴とする請求項１に記載のドキュメント生成装置。
【請求項３】
前記第１の取得手段は、第１のドキュメントに付加されたパターンに基づいて識別情報を検出することを特徴とする請求項１に記載のドキュメント生成装置。
【請求項４】
前記第１の取得手段は、第１のドキュメントに付加された識別情報が示す格納場所から、レイアウトデータとデータ取得情報とを取得することを特徴とする請求項１に記載のドキュメント生成装置。
【請求項５】
前記生成手段は、レイアウトデータとデータ取得情報とを指定する指定手段を有し、前記指定手段により指定されたデータ取得情報に基づいて取得されたデータが、前記指定手段により指定されたレイアウトデータに応じてレイアウトされ、かつ、指定されたレイアウトデータとデータ取得情報とに応じた識別情報が付加された第３のドキュメントを生成することを特徴とする請求項１に記載のドキュメント生成装置。
【請求項６】
前記生成手段は、レイアウトデータとデータ取得情報とを指定する指定手段と、指定されたレイアウトデータとデータ取得情報とを格納場所に格納する格納手段とを有し、前記指定手段により指定されたデータ取得情報に基づいて取得されたデータが、前記指定手段により指定されたレイアウトデータに応じてレイアウトされ、かつ、指定されたレイアウトデータとデータ取得情報とが格納された格納場所を示す識別情報が付加された第３のドキュメントを生成することを特徴とする請求項１に記載のドキュメント生成装置。
【請求項７】
前記第２の取得手段は、第１のドキュメントに付加された識別情報に基づいて取得されたデータ取得情報以外の第２のデータ取得情報を入力する入力手段を有し、前記第２の取得手段は、第１のドキュメントに付加された識別情報に基づいて取得されたデータ取得情報と、第２のデータ取得情報とに基づいて、データを取得することを特徴とする請求項１に記載のドキュメント生成装置。
【請求項８】
前記第２の取得手段は、第１のドキュメントにレイアウトされたデータを取得し、前記生成手段は、第１のドキュメントにレイアウトされたデータと前記第２の取得手段により取得されたデータとの差異に応じて、第２のドキュメントを生成することを特徴とする請求項１に記載のドキュメント生成装置。
【請求項９】
前記第２の取得手段は、第１のドキュメントにレイアウトされたデータを取得し、前記生成手段は、第１のドキュメントにレイアウトされたデータと前記第２の取得手段により取得されたデータとの差異を含む第２のドキュメントを生成することを特徴とする請求項１に記載のドキュメント生成装置。
【請求項１０】
前記第２の取得手段は、前記第１の取得手段により取得されたデータ取得情報に基づいて取得したデータを管理することを特徴とする請求項１に記載のドキュメント生成装置。
【請求項１１】
第１の取得手段が、第１のドキュメントに付加された識別情報に基づいて、レイアウトデータと、前記レイアウトデータに応じてレイアウトするデータを取得するためのデータ取得情報とを取得する第１の取得ステップと、
第２の取得手段が、前記第１の取得ステップで取得されたデータ取得情報に基づいてデータを取得する第２の取得ステップと、
生成手段が、前記第２の取得ステップで取得されたデータを、前記第１の取得ステップで取得されたレイアウトデータに応じてレイアウトした第２のドキュメントを生成する生成ステップとを有することを特徴とするドキュメント生成方法。
【請求項１２】
前記生成ステップでは、前記生成手段が、識別情報が付加された第２のドキュメントを生成することを特徴とする請求項１１に記載のドキュメント生成方法。
【請求項１３】
前記第１の取得ステップでは、前記第１の取得手段が、第１のドキュメントに付加されたパターンに基づいて識別情報を検出することを特徴とする請求項１１に記載のドキュメント生成方法。
【請求項１４】
前記生成ステップは、指定手段が、レイアウトデータとデータ取得情報とを指定する指定ステップと、格納手段が、指定されたレイアウトデータとデータ取得情報とを格納場所に格納する格納ステップとを有し、前記生成手段が、前記指定ステップで指定されたデータ取得情報に基づいて取得されたデータが、前記指定ステップで指定されたレイアウトデータに応じてレイアウトされ、かつ、指定されたレイアウトデータとデータ取得情報とが格納された格納場所を示す識別情報が付加された第３のドキュメントを生成することを特徴とする請求項１１に記載のドキュメント生成方法。
【請求項１５】
前記第２の取得ステップでは、前記第２の取得手段が、第１のドキュメントにレイアウトされたデータを取得し、前記生成ステップでは、前記生成手段が、第１のドキュメントにレイアウトされたデータと前記第２の取得ステップで取得されたデータとの差異に応じて、第２のドキュメントを生成することを特徴とする請求項１１に記載のドキュメント生成方法。
【請求項１６】
前記第２の取得ステップでは、前記第２の取得手段が、第１のドキュメントにレイアウトされたデータを取得し、前記生成ステップでは、前記生成手段が、第１のドキュメントにレイアウトされたデータと前記第２の取得ステップで取得されたデータとの差異を含む第２のドキュメントを生成することを特徴とする請求項１１に記載のドキュメント生成方法。
【請求項１７】
ドキュメントを生成するためのドキュメント生成方法をコンピュータに実行させるためのプログラムであって、
第１のドキュメントに付加された識別情報に基づいて、レイアウトデータと、前記レイアウトデータに応じてレイアウトするデータを取得するためのデータ取得情報とを取得する第１の取得手順と、
前記第１の取得手順で取得されたデータ取得情報に基づいてデータを取得する第２の取得手順と、
前記第２の取得手順で取得されたデータを、前記第１の取得手順で取得されたレイアウトデータに応じてレイアウトした第２のドキュメントを生成する生成手順とをコンピュータに実行させるためのプログラム。
【請求項１８】
前記生成手順では、識別情報が付加された第２のドキュメントを生成することを特徴とする請求項１７に記載のプログラム。
【請求項１９】
前記第２の取得手順では、第１のドキュメントにレイアウトされたデータを取得し、前記生成手順では、第１のドキュメントにレイアウトされたデータと前記第２の取得手順で取得されたデータとの差異に応じて、第２のドキュメントを生成することを特徴とする請求項１７に記載のプログラム。
【請求項２０】
前記第２の取得手順では、第１のドキュメントにレイアウトされたデータを取得し、前記生成手順では、第１のドキュメントにレイアウトされたデータと前記第２の取得手順で取得されたデータとの差異を含む第２のドキュメントを生成することを特徴とする請求項１７に記載のプログラム。
【手続補正２】
【補正対象書類名】明細書
【補正対象項目名】００１０
【補正方法】変更
【補正の内容】
【００１０】
本発明のドキュメント生成装置は、第１のドキュメントに付加された識別情報に基づいて、レイアウトデータと、前記レイアウトデータに応じてレイアウトするデータを取得するためのデータ取得情報とを取得する第１の取得手段と、前記第１の取得手段により取得されたデータ取得情報に基づいてデータを取得する第２の取得手段と、前記第２の取得手段により取得されたデータを、前記第１の取得手段により取得されたレイアウトデータに応じてレイアウトした第２のドキュメントを生成する生成手段とを有することを特徴とする。